(57)【要約】【課題】  壁面緑化システムにおいて、雨水を利用しつつ安定して自動的に灌水を行うこと。【解決手段】  壁面に取り付け可能なパネル１と、該パネル１に取り付けられ複数のプランター２を設置可能であると共に該プランター２内の植物Ｐに灌水可能な灌水路３と、雨水が貯留される雨水タンク４と、該雨水タンク４及び上水源に接続され灌水路３に雨水又は上水を循環水として供給する循環水循環機構５と、を備え、該循環水循環機構５が、貯留された雨水量が所定量より多い場合に雨水を供給すると共に、雨水量が所定量以下の場合に上水を供給する制御を行う循環水制御部８を備えている。【選択図】      図１
2008228731.tif 000002
【特許請求の範囲】
【請求項１】
壁面に取り付け可能なパネルと、
該パネルに取り付けられ複数のプランターを設置可能であると共に該プランター内の植物に灌水可能な灌水路と、
雨水が貯留される雨水タンクと、
該雨水タンク及び上水源に接続され前記灌水路に前記雨水又は上水を循環水として供給する循環水循環機構と、を備え、
該循環水循環機構が、前記貯留された雨水量が所定量より多い場合に前記雨水を循環水として供給すると共に、前記雨水量が所定量以下の場合に前記上水を循環水として供給する制御を行う循環水制御部を備えていることを特徴とする壁面緑化システム。
【請求項２】
請求項１に記載の壁面緑化システムにおいて、
前記循環水循環機構が、前記雨水タンクから前記雨水が供給されると共に前記上水源に接続された給水タンクと、
該給水タンクに接続され前記循環水を貯留すると共に前記灌水路を循環した循環水が戻される循環水タンクと、を備え、
前記循環水制御部が、前記循環水タンク内の循環水量が所定量以下の場合に前記給水タンク内の水を前記循環水タンク内に供給すると共に、前記給水タンク内の水量が所定量以下の場合に前記上水源から前記上水を前記給水タンク内に供給する制御を行うことを特徴とする壁面緑化システム。
【請求項３】
請求項１又は２に記載の壁面緑化システムにおいて、
前記循環水循環機構が、前記循環水の温度を制御する循環水温度制御部を備えていることを特徴とする壁面緑化システム。
【請求項４】
請求項１から３のいずれか一項に記載の壁面緑化システムにおいて、
前記循環水循環機構が、前記循環水に液肥を添加すると共に前記循環水の液肥濃度を制御する液肥添加機構を備えていることを特徴とする壁面緑化システム。
【請求項５】
請求項１から４のいずれか一項に記載の壁面緑化システムにおいて、
前記循環水循環機構が、前記循環水に酸素を供給する酸素供給機構を備えていることを特徴とする壁面緑化システム。
【請求項６】
請求項１から５のいずれか一項に記載の壁面緑化システムにおいて、
少なくとも前記循環水循環機構に電力を供給する電力供給機構を備え、
該電力供給機構が、太陽光により発電した電力を供給する太陽光発電部と、
前記太陽光発電部から供給される電力が必要電力量に達している場合は該電力で前記供給を行い、前記太陽光発電部から供給される電力が必要電力量に達していない場合は商用電源からの電力で前記供給を行う電力切替制御部と、を備えていることを特徴とする壁面緑化システム。
【請求項７】
請求項１から６のいずれか一項に記載の壁面緑化システムにおいて、
前記循環水循環機構における制御情報を無線通信又は有線通信によって送信する情報通信機構を備えていることを特徴とする壁面緑化システム。
【請求項８】
請求項７に記載の壁面緑化システムにおいて、
前記情報通信機構が、前記灌水路に設置された前記プランターの近傍に設置され前記プランターに植栽された植物を撮影するカメラを備え、該カメラで撮影した前記植物の画像データ又は映像データを無線通信又は有線通信によって送信することを特徴とする壁面緑化システム。
【発明の詳細な説明】
【技術分野】
【０００１】
本発明は、例えば、建築物等の壁面に複数のプランターを取り付けて植物による緑化を行う壁面緑化システムに関する。
【背景技術】
【０００２】
近年、ビル等の建築物の外壁面に、植物を植栽したプランター等を取り付けることで、壁面の景観を向上させると共に、植物による断熱効果で建築物の温度調整を行ってヒートアイランド化現象の緩和等が可能な壁面緑化が推し進められている。この壁面緑化を行う場合、植物に水を常時又は定期的に供給してやる必要があるが、壁面であることから植物への灌水作業が困難であるという不都合がある。
【０００３】
この対策として従来、例えば特許文献１には、外壁面に取り付けられた緑化パネルと、給水タンクから水を緑化パネルに供給する給水装置と、給水された水を緑化パネルに灌水する灌水管と、を備えた壁面緑化装置が提案されている。この壁面緑化装置では、給水装置によって給水タンクの水を灌水管を介して緑化パネルに供給量を制御して供給することで、自動で安定した灌水を行うことができる。
【０００４】
上記特許文献１に記載の技術のように、水道水等の上水を継続して長期にわたって供給する場合、上水費用が長期にわたり必要であり維持管理コストが高いという不都合があった。
この対策として従来、例えば特許文献２には、雨水を貯水槽に溜めてこれを外壁面に取り付けたプランターに供給する壁面緑化プランターの灌水方法が提案されている。この灌水方法では、雨水を利用することで、水道水等の節約を図ってランニングコストを低減するものである。
【０００５】
【特許文献１】特開２００４−３５０５２８号公報
【特許文献２】特開２００６−０００００８号公報
【発明の開示】
【発明が解決しようとする課題】
【０００６】
上記従来の技術には、以下の課題が残されている。
すなわち、従来の技術では、水道水等の節約を行うため雨水を利用する技術が提案されているが、雨水は雨天や晴天等の日々の天候、季節又は地域に応じて貯水量に大きなばらつきが生じるため、十分な貯水量が得られる場合とほとんど枯渇してしまっている場合とがあり、安定して自動的に灌水を行うことが困難であった。
【０００７】
本発明は、前述の課題に鑑みてなされたもので、雨水を利用しつつ安定して自動的に灌水を行うことができる壁面緑化システムを提供することを目的とする。
【課題を解決するための手段】
【０００８】
本発明は、前記課題を解決するために以下の構成を採用した。すなわち、本発明の壁面緑化システムは、壁面に取り付け可能なパネルと、該パネルに取り付けられ複数のプランターを設置可能であると共に該プランター内の植物に灌水可能な灌水路と、雨水が貯留される雨水タンクと、該雨水タンク及び上水源に接続され前記灌水路に前記雨水又は上水を循環水として供給する循環水循環機構と、を備え、該循環水循環機構が、前記貯留された雨水量が所定量より多い場合に前記雨水を循環水として供給すると共に、前記雨水量が所定量以下の場合に前記上水を循環水として供給する制御を行う循環水制御部を備えていることを特徴とする。
【０００９】
この壁面緑化システムでは、循環水制御部が、貯留された雨水量が所定量より多い場合に雨水を供給すると共に、雨水量が所定量以下の場合に上水を供給する制御を行うので、貯留した雨水量に応じて上水を供給することで水道水等の上水を極力節約して上水費用を削減することができると共に、安定した自動的な灌水を長期に維持することが可能になる。
【００１０】
また、本発明の壁面緑化システムは、前記循環水循環機構が、前記雨水タンクから前記雨水が供給されると共に前記上水源に接続された給水タンクと、該給水タンクに接続され前記循環水を貯留すると共に前記灌水路を循環した循環水が戻される循環水タンクと、を備え、前記循環水制御部が、前記循環水タンク内の循環水量が所定量以下の場合に前記給水タンク内の水を前記循環水タンク内に供給すると共に、前記給水タンク内の水量が所定量以下の場合に前記上水源から前記上水を前記給水タンク内に供給する制御を行うことを特徴とする。すなわち、この壁面緑化システムでは、循環水制御部が、循環水タンク内の循環水量が所定量以下の場合に給水タンク内の水を循環水タンク内に供給すると共に、給水タンク内の水量が所定量以下の場合に上水源から上水を給水タンク内に供給する制御を行うので、常に循環水タンク内の循環水量が所定量確保されると共に給水タンク内の雨水量に応じて上水が追加供給され、安定した循環水供給が可能になる。
【００１１】
また、本発明の壁面緑化システムは、前記循環水循環機構が、前記循環水の温度を制御する循環水温度制御部を備えていることを特徴とする。すなわち、この壁面緑化システムでは、循環水循環機構が循環水の温度を制御する循環水温度制御部を備えているので、植物に適した温度で灌水可能となり、特に天候や季節によって温度変化が激しい雨水でも水温コントロールが可能になる。
【００１２】
また、本発明の壁面緑化システムは、前記循環水循環機構が、前記循環水に液肥を添加すると共に前記循環水の液肥濃度を制御する液肥添加機構を備えていることを特徴とする。すなわち、この壁面緑化システムでは、液肥添加機構が、循環水に液肥を添加すると共に循環水の液肥濃度を制御するので、植物に必要な養分が不足しがちな雨水や水道水でも適切な液肥濃度に調節することで植物の良好な育成を促すことができる。
【００１３】
また、本発明の壁面緑化システムは、前記循環水循環機構が、前記循環水に酸素を供給する酸素供給機構を備えていることを特徴とする。すなわち、この壁面緑化システムでは、酸素供給機構が、循環水に酸素を供給するので、循環水の酸素不足を補うことができる。特に、水道水等の上水に比べ、貯留された雨水の場合は、十分な酸素濃度でない場合があり、本システムによって酸素不足を防ぐことができる。
【００１４】
また、本発明の壁面緑化システムは、少なくとも前記循環水循環機構に電力を供給する電力供給機構を備え、該電力供給機構が、太陽光により発電した電力を供給する太陽光発電部と、前記太陽光発電部から供給される電力が必要電力量に達している場合は該電力で前記供給を行い、前記太陽光発電部から供給される電力が必要電力量に達していない場合は商用電源からの電力で前記供給を行う電力切替制御部と、を備えていることを特徴とする。すなわち、この壁面緑化システムでは、電力切替制御部が、太陽光発電部から供給される電力が必要電力量に達している場合は該電力で供給を行い、太陽光発電部から供給される電力が必要電力量に達していない場合は商用電源からの電力で供給を行うことで、自動電源切替によって太陽光発電を極力利用し、商用電源の電気費用を削減することができる。
【００１５】
また、本発明の壁面緑化システムは、前記循環水循環機構における制御情報を無線通信又は有線通信によって送信する情報通信機構を備えていることを特徴とする。すなわち、この壁面緑化システムでは、情報通信機構が、循環水循環機構における制御情報を無線通信又は有線通信によって送信するので、受信した制御情報から、雨水が十分に貯留されているか、正常な灌水が実行されているか、システムに異常が発生していないか等、種々のシステム状況が遠隔地で入手でき、異常が発生した場合などは迅速な対応が可能になる。
なお、情報通信機構に制御情報の送信機能だけでなく、遠隔地からの操作信号を受信可能とすると共に該操作信号に基づいて循環水循環機構の制御を可能にして、本システムの種々の制御を遠隔地から行うことができるようにしても構わない。この場合、本システムの設置現場まで操作のために作業者が出向く必要が無く、遠隔地から遠隔操作でシステムの管理や運転を行うことが可能になる。
【００１６】
さらに、本発明の壁面緑化システムは、前記情報通信機構が、前記灌水路に設置された前記プランターの近傍に設置され前記プランターに植栽された植物を撮影するカメラを備え、該カメラで撮影した前記植物の画像データ又は映像データを無線通信又は有線通信によって送信することを特徴とする。すなわち、この壁面緑化システムでは、情報通信機構が、カメラで撮影した植物の画像データ又は映像データを無線通信又は有線通信によって送信するので、画像データ又は映像データを遠隔地で受信して植物の状態を画像又は映像で直接確認することができる。例えば、植物が病気になった場合や植物に虫がついた場合等、植物の状態を遠隔地で確認することができる。
【発明の効果】
【００１７】
本発明によれば、以下の効果を奏する。
すなわち、本発明に係る壁面緑化システムによれば、循環水制御部が、貯留された雨水量が所定量より多い場合に雨水を供給すると共に、雨水量が所定量以下の場合に上水を供給する制御を行うので、雨水と上水との自動切替灌水により、安定した灌水を実現できると共に水道代を削減してランニングコストを大幅に低減し、灌水作業を容易にして管理労力を大幅に低減することができる。
【発明を実施するための最良の形態】
【００１８】
以下、本発明に係る壁面緑化システムの一実施形態を、図１から図３を参照しながら説明する。なお、以下の説明に用いる各図面では、各部材を認識可能又は認識容易な大きさとするために縮尺を適宜変更している。
【００１９】
本実施形態の壁面緑化システムは、図１から図３に示すように、壁面に取り付け可能な複数のパネル１と、これらパネル１に取り付けられ複数のプランター２を設置可能であると共に該プランター２内の植物Ｐに灌水可能な灌水路３と、雨水が貯留される複数の雨水タンク４と、該雨水タンク４及び上水源（図示略）に接続され灌水路３に雨水又は上水を循環水として供給する循環水循環機構５と、少なくとも循環水循環機構５に電力を供給する電力供給機構６と、循環水循環機構５における制御情報を無線通信又は有線通信によって送信する情報通信機構７と、上記各機構を制御するシステム制御部Ｃと、を備えている。
【００２０】
上記循環水循環機構５は、貯留された雨水量が所定量より多い場合に雨水を循環水として供給すると共に、雨水量が所定量以下の場合に上水を循環水として供給する制御を行う循環水制御部８と、循環水の温度を制御する循環水温度制御部９と、循環水に液肥を添加すると共に循環水の液肥濃度を制御する液肥添加機構１０と、循環水に酸素を供給するエアーポンプ（酸素供給機構）１１と、を備えている。
【００２１】
また、循環水循環機構５は、雨水タンク４から雨水が供給されると共に上水源に接続された給水タンク１２と、該給水タンク１２に接続され循環水を貯留すると共に灌水路３を循環した循環水が戻される循環水タンク１３と、を備えている。
上記循環水制御部８は、循環水タンク１３内の循環水量が所定量以下の場合に給水タンク１２内の水を循環水タンク１３内に供給すると共に、給水タンク１２内の水量が所定量以下の場合に上水源から上水を給水タンク１２内に供給する制御を行う。
【００２２】
上記電力供給機構６は、太陽光により発電した電力を供給する一対の太陽光パネル（太陽光発電部）１４と、太陽光パネル１４から供給される電力が必要電力量（本システムを稼働させるために必要な電力量）に達している場合は該電力で供給を行い、太陽光パネル１４から供給される電力が必要電力量に達していない場合は商用電源（図示略）からの電力で供給を行う電源制御ユニット（電力切替制御部）１５と、を備えている。
【００２３】
上記電源制御ユニット１５は、夜間や日中に不足する電力を確保するために交流電源である商用電源（図示略）に接続され、交流を直流へ変換して本システムを構成する各機構及び機器に電力供給するものである。
また、上記太陽光パネル１４は、本システムが設置される建築物の屋上等に設置され本システムで使用する昼間の電力源として例えば４００Ｗ程度の電力供給が可能な太陽電池パネルであり、電源制御ユニット１５に接続されている。
【００２４】
さらに、電源制御ユニット１５は、太陽光パネル１４からの直流電圧をコンバータ機能により安定した直流電圧に変換し、各機構及び機器に電力を分配供給する機能を有している。また、電源制御ユニット１５は、各機構及び機器の電源をシステム制御部Ｃからの制御信号でＯＮ／ＯＦＦする機能を有している。
【００２５】
上記パネル１は、例えばアルミニウム、アルミニウム合金材又はステンレス等で格子状に形成されたネット状フェンス又は金網である。
上記灌水路３は、１系及び２系の２系統に分割され上下に複数段連結されて構成された樹脂製の循環パイプであり、上部の一部がくり抜かれた部分にプランター２を設置してプランター２の底部が管路内を流れる循環水に接触するようになっている複数のプランター設置パイプ部１６を有している。
【００２６】
これらプランター設置パイプ部１６には、それぞれ内部の液面が標準面より異常に上がったことを検知して、その信号をシステム制御部Ｃに転送する灌水路用レベルスイッチ１７が設けられている。
また、灌水路３の下流端には、循環水を循環水タンク１３に戻す前に濾過する循環水１次フィルタ１８が設けられている。
【００２７】
上記給水タンク１２は、雨水受け１９に接続され、雨水受け１９で集水した雨水を雨水フィルタ２０を通して貯留するようになっている。なお、給水タンク１２の上部には、給水タンク１２が満タンになった場合に、余分な水を外部に排出する給水オーバーフロー管２１が設けられている。
【００２８】
また、給水タンク１２には、タンク内の液面がオーバーフローの位置まで来たことを感知し、その信号をシステム制御部Ｃへ転送する給水タンク用レベルスイッチ２２が設けられている。
上記雨水フィルタ２０は、集水した雨水の中にあるゴミ等を濾過して除去するものである。なお、雨水フィルタ２０には、降雨初期の汚損雨水を排水する初期雨水ドレイン２３が設けられている。
【００２９】
上記雨水タンク４は、給水タンク１２の底部に連結されており、給水タンク１２に供給された雨水を分配して貯留可能になっている。この雨水タンク４の上部には、雨水タンク４が満タンになった場合に、余分な水を外部に排出する雨水タンクオーバーフロー管２４が設けられている。
なお、雨水タンク４は、雨水の利用率を上げるために給水タンク１２とは別置きに設けているが、利用する雨水量等に応じて給水タンク１２だけでこれを雨水タンク４として機能させても構わない。
【００３０】
上記循環水制御部８は、基端が上水源（図示略）に接続された上水路２５と、該上水路２５に接続され給水タンク１２内に設けられた給水タンクフロートバルブ２６と、該上水路２５の基端側途中に設けられた上水用モーターバルブ２７と、該上水用モーターバルブ２７よりも下流側の上水路２５に設けられた上水流量センサ２８と、上水流量センサ２８からのセンサ信号を受信するシステム制御部Ｃと、を備えている。
【００３１】
上記給水タンクフロートバルブ２６は、給水タンク１２内に浮かべたフロートの上下位置に応じて上水の供給を行うものであって、給水タンク１２の液面が標準面より下がった場合、すなわち貯留する水量が所定量以下になった場合に上水源からの上水の給水を行うものである。
【００３２】
上記上水用モーターバルブ２７は、給水タンクフロートバルブ２６が故障した際に上水供給を停止させるものである。
上記上水流量センサ２８は、上水の流量を計測してその値をセンサ信号としてシステム制御部Ｃに転送するものである。
【００３３】
上記給水タンク１２の下部には、循環水２次フィルタ２９、空冷冷却器３０、電子冷却器３１、１系用及び２系用の一対の循環水流量センサ３２及び１系用及び２系用の一対の循環水ポンプ３３が接続されている。
上記循環水２次フィルタ２９は、圧送前に循環水を再度濾過するものである。
【００３４】
上記空冷冷却器３０及び電子冷却器３１は、上記循環水温度制御部９として循環水を所定温度まで冷却するものである。空冷冷却器３０は、循環水と外気とをラジエーターとファンとで熱交換して冷却するものである。また、電子冷却器３１は、ペルチェ素子により循環水を冷却するものである。
【００３５】
上記循環水流量センサ３２は、循環水の流量を計測してその値をそのセンサ信号としてシステム制御部Ｃへ転送するものである。
上記循環水ポンプ３３は、循環水を灌水路３の上部まで圧送するポンプである。
上記循環水タンク１３は、灌水路３の下流端が上部に接続されて灌水路３を循環された循環水が戻されるようになっており、内部に給水タンク１２に接続された循環水タンクフロートバルブ３４が設置されている。
【００３６】
また、循環水タンク１３には、循環水の液面がオーバーフローの位置まできたことを感知し、その信号をシステム制御部Ｃへ転送する循環水タンク用レベルスイッチ３５が設けられている。
さらに、循環水タンク１３には、循環水タンク１３が満タンになった場合、余分な循環水を外部に排出する循環水オーバーフロー管３６が設けられている。
【００３７】
該循環水タンクフロートバルブ３４は、循環水タンク１３内に浮かべたフロートの上下位置に応じて給水タンク１２からの給水を行うものであって、循環水タンク１３の液面が標準面より下がった場合、すなわち循環水タンク１３内の循環水量が所定量以下になった場合に給水タンク１２からの給水を行うものである。
また、給水タンク１２内に設置された循環水タンクフロートバルブ３４の基端部には、フロートバルブフィルタ３７が設けられている。該フロートバルブフィルタ３７は、循環水タンクフロートバルブ３４がゴミでつまらないように給水を濾過するものである。
【００３８】
上記循環水温度制御部９は、循環水タンク１３内に設置されタンク内の循環水の温度を計測してシステム制御部Ｃへ転送する循環水タンク用温度センサ３８と、２系統に分かれたプランター設置パイプ部１６の入口と出口とのそれぞれ設けられ循環水の温度を計測してシステム制御部Ｃへ転送する灌水路用温度センサ３９と、循環水タンク１３内の底部に設けられ循環水を所定温度に加熱する水中用電気ヒータ４０と、を備えている。
【００３９】
また、システム制御部Ｃには、外部に設置され外気温を測定してシステム制御部Ｃへ転送する外気温センサ４１が接続されている。
上記エアーポンプ１１は、循環水タンク１３の下部に取り付けられタンク内の循環水にエアーをパージして循環水の酸素濃度を上げるものである。
【００４０】
上記液肥添加機構１０は、循環水タンク１３内に設置され循環水の水素イオン濃度を計測して、その値を信号として転送するｐＨセンサ４２と、循環水タンク１３内に設置され循環水の電気伝導率を計測して、その値を信号として転送するＥＣセンサ４３と、ｐＨセンサ４２及びＥＣセンサ４３からの信号を受信して変換しシステム制御部Ｃへ送ると共に信号に基づいて水素イオン濃度及び電気伝導率を表示可能なｐＨ・ＥＣ計４４と、液肥を保管しておく液肥タンク４５と、システム制御部Ｃに制御された電源制御ユニット１５からのＯＮ／ＯＦＦ制御により該液肥タンク４５から液肥を循環水タンク１３内に投入する液肥ポンプ４６と、を備えている。
【００４１】
上記情報通信機構７が、灌水路３に設置されたプランター２の近傍に設置されプランター２に植栽された植物Ｐを撮影する状況確認用のカメラ４７と、該カメラ４７で撮影した植物Ｐの画像データ又は映像データ及び循環水循環機構５における各制御情報を無線通信するＰＨＳコントローラ４８と、ＰＨＳコントローラ４８から送信された上記データ及び制御情報等を受信する監視制御用端末Ｔと、を備えている。
【００４２】
上記カメラ４７は、監視制御用端末Ｔからのアクセスで植物Ｐの状況を画像で確認するための状況確認用のＣＣＤカメラ等である。
上記ＰＨＳコントローラ４８は、ＰＨＳ通信を用いて例えばインターネット等のネットワークＮを介してデータ、制御情報及び各機構の制御信号等の受け渡しを行う送受信機である。なお、循環水循環機構５における制御情報をＰＨＳコントローラ４８による無線通信ではなく、電話線を介したＡＤＳＬ等の有線通信によって送信しても構わない。
【００４３】
上記監視制御用端末Ｔは、遠隔地にあるメンテナンスセンター等に設置され、例えばインターネット等のネットワークＮを介して上記データ及び制御情報等の受信を行い、本システムの状況を遠隔地で確認・記録すると共に各機構を遠隔制御するための制御信号をインターネット等のネットワークＮを介して送信可能なパーソナルコンピュータである。
上記システム制御部Ｃは、上記各機構及び機器からの信号やデータを受信し記録すると共にＰＨＳコントローラ４８に出力するデータロガーであり、さらに上記各機構及び機器を制御する制御信号を送信する制御回路等を内蔵した制御装置である。
【００４４】
次に、本実施形態の壁面緑化システムにおけるシステム制御部Ｃによる各制御について説明する。
【００４５】
＜ヒータ制御＞
システム制御部Ｃは、循環水タンク用温度センサ３８の値を記録すると共に、８℃以下になると電源制御ユニット１５に制御信号を送り、水中用電気ヒータ４０に通電して循環水温度を上昇させ、逆に１５℃以上になると通電を停止する制御を行う。
【００４６】
＜エアーポンプ制御＞
システム制御部Ｃの制御により、循環水ポンプ３３への通電が行われている際には、エアーポンプ１１への通電も行われ、循環水ポンプ３３への通電が停止されると、エアーポンプ１１への通電も停止するように設定されている。
【００４７】
＜空冷冷却器制御＞
システム制御部Ｃは、循環水タンク用温度センサ３８で計測した循環水の温度が２５℃以上であって外気温センサ４１で計測した外気温よりも高い場合、電源制御ユニット１５に制御信号を送り、空冷冷却器３０に通電して循環水を外気温まで冷却し、２５℃よりも低くなると通電を停止する制御を行う。
【００４８】
＜電子冷却器制御＞
システム制御部Ｃは、灌水路用温度センサ３９の値を記録すると共に、灌水路３を流通する循環水温度が１カ所でも２８℃を越えた場合、電源制御ユニット１５に制御信号を送って、電子冷却器３１に通電し、循環水を冷却すると共に、２６℃よりも低くなると通電を停止する制御を行う。
なお、上記加熱及び冷却による温度制御を行う手段として、他にヒートポンプ式チラーシステム等を採用しても構わない。また、上記温度の設定は自由に変更可能である。
【００４９】
＜上水用モーターバルブ制御＞
給水タンク１２内の液面レベルが上昇し、給水タンク用レベルスイッチ２２がＯＮになると、システム制御部Ｃはその動作信号を記録すると共に、電源制御ユニット１５に制御信号を送り、上水用モーターバルブ２７を閉にし、給水タンク用レベルスイッチ２２がＯＦＦになると、３分の時限を持たせた後に上水用モーターバルブ２７を開にする制御を行う。
【００５０】
＜循環水ポンプ制御＞
１系又は２系のプランター設置パイプ部１６の液面レベルが上昇し、１個でも灌水路用レベルスイッチ１７がＯＮになると、システム制御部Ｃは、その動作信号を記録すると共に電源制御ユニット１５に制御信号を送り、対応する系の循環水ポンプ３３への通電を停止し、循環を中止する制御を行う。
【００５１】
また、１系用又は２系用の循環水ポンプ３３におけるポンプ電圧が１０Ｖ以上で、対応する系の循環水流量センサ３２の流量が例えば０．５リットル／分以下で５分間続いた場合、システム制御部Ｃは、その動作信号を記録すると共に、電源制御ユニット１５に制御信号を送り、対応する系の循環水ポンプ３３への通電を停止し、循環を中止する制御を行う。
【００５２】
なお、循環水ポンプ３３が停止した場合の復帰動作は、停止条件が復帰することと同時に、監視制御用端末Ｔからの再起動信号コマンドの発信によって行われる。
【００５３】
＜液肥制御＞
システム制御部Ｃは、ｐＨ・ＥＣ計４４から送られる水素イオン濃度及び電気伝導率の値を記録すると共に、設定した電気伝導率になると、電源制御ユニット１５に制御信号を送り、液肥ポンプ４６を駆動して循環水内の液肥濃度を一定に保つ制御を行う。
【００５４】
このように本実施形態の壁面緑化システムでは、循環水制御部８が、貯留された雨水量が所定量より多い場合に雨水を供給すると共に、雨水量が所定量以下の場合に上水を供給する制御を行うので、貯留した雨水量に応じて上水を供給することで水道水等の上水を極力節約して上水費用を削減することができると共に、安定した自動的な灌水を長期に維持することが可能になる。
【００５５】
また、循環水制御部８が、循環水タンク１３内の循環水量が所定量以下の場合に給水タンク１２内の水を循環水タンク１３内に供給すると共に、給水タンク１２内の水量が所定量以下の場合に上水源から上水を給水タンク１２内に供給する制御を行うので、常に循環水タンク１３内の循環水量が所定量確保されると共に給水タンク１２内の雨水量に応じて上水が追加供給され、安定した循環水供給が可能になる。
【００５６】
さらに、循環水循環機構５が、循環水の温度を制御する循環水温度制御部９を備えているので、植物Ｐに適した温度で灌水可能となり、特に天候や季節によって温度変化が激しい雨水でも水温コントロールが可能になる。例えば、夏場には植物Ｐが根腐りしてしまう３０℃以上に貯留した雨水の温度が上昇してしまう場合があるが、本システムによれば灌水の適温制御によってこれを防ぐことができる。
【００５７】
また、液肥添加機構１０が、循環水に液肥を添加すると共に循環水の液肥濃度を制御するので、植物Ｐに必要な養分が不足しがちな雨水や水道水でも適切な液肥濃度に調節することで植物Ｐの良好な育成を促すことができる。
また、エアーポンプ１１が、循環水に酸素を供給するので、循環水の酸素不足を補うことができる。特に、水道水等の上水に比べ、貯留された雨水の場合は、十分な酸素濃度でない場合があり、本システムによって酸素不足を防ぐことができる。
【００５８】
また、電源制御ユニット１５が、太陽光パネル１４から供給される電力が必要電力量に達している場合は該電力で供給を行い、太陽光パネル１４から供給される電力が必要電力量に達していない場合は商用電源からの電力で供給を行うことで、自動電源切替によって太陽光発電を極力利用し、商用電源の電気費用を削減することができる。
【００５９】
また、情報通信機構７が、循環水循環機構５における制御情報を無線通信又は有線通信によって送信するので、受信した制御情報から、雨水が十分に貯留されているか、正常な灌水が実行されているか、システムに異常が発生していないか等、種々のシステム状況が遠隔地で入手でき、異常が発生した場合などは迅速な対応が可能になる。
【００６０】
さらに、情報通信機構７は、制御情報の送信機能だけでなく、遠隔地からの操作信号を受信可能であると共に該操作信号に基づいて循環水循環機構５の制御を行って、本システムの種々の制御を遠隔地から行うことができるので、本システムの設置現場まで操作のために作業者が出向く必要が無く、遠隔地から遠隔操作で本システムの管理や運転を行うことが可能になる。
【００６１】
また、情報通信機構７が、カメラ４７で撮影した植物Ｐの画像データ又は映像データを無線通信又は有線通信によって送信するので、画像データ又は映像データを遠隔地で受信して植物Ｐの状態を画像又は映像で直接確認することができる。例えば、植物Ｐが病気になった場合や植物Ｐに虫がついた場合等、植物Ｐの状態を遠隔地で確認することができる。
【００６２】
なお、本発明の技術範囲は上記実施形態に限定されるものではなく、本発明の趣旨を逸脱しない範囲において種々の変更を加えることが可能である。
【図面の簡単な説明】
【００６３】
【図１】本発明に係る壁面緑化システムの一実施形態において、システム全体を示す構成図である。
【図２】本実施形態において、パネル及び灌水路を示す構成図である。
【図３】本実施形態において、循環水循環機構等を示す構成図である。
【符号の説明】
【００６４】
１…パネル、２…プランター、３…灌水路、４…雨水タンク、５…循環水循環機構、６…電力供給機構、７…情報通信機構、８…循環水制御部、９…循環水温度制御部、１０…液肥添加機構、１１…エアーポンプ（酸素供給機構）、１２…給水タンク、１３…循環水タンク、１４…太陽光パネル（太陽光発電部）、１５…電源制御ユニット（電力切替制御部）、４７…カメラ、Ｐ…植物
【図１】
2008228731.tif 000003
【図２】
2008228731.tif 000004
【図３】
2008228731.tif 000005